(57)【要約】【課題】ボルト・ナットの弛緩・緊締作業が極く僅かであるか又は全く不要である配管抱持取付時の操作性を高めた吊りバンド形式の配管支持具を提供する。【解決手段】吊りボルト下部に取り付けられるタンバックルと、該タンバックルにボルト・ナットにより取り付けられる下方で配管抱持部を形成する一対のバンド部とを有す成る配管支持具において、一対のバント部は、該一対のバンド部の前記支持片部の少なくとも一方に弾性部材を配設することによりタンバックルに対し押圧状態に取り付けられており、一対のバンド部の一方の末端部には、組機構或いは蝶番機構により一端が連結された開閉部材が取り付けられており、一対のバンド部の他方には、前記開閉部材の他端が掛止する掛止機構が設けられていることを特徴とする配管支持具である。【選択図】    図１
2004245306.tif 000002
【特許請求の範囲】
【請求項１】
吊りボルト下部に取り付けられるタンバックルと、該タンバックルにボルト・ナットにより取り付けられる支持片部の下方で配管抱持部を形成する一対のバンド部とを有する配管支持具において、
一対のバント部は、該一対のバンド部の前記支持片部の少なくとも一方に弾性部材を配設することによりタンバックルに対し押圧状態に取り付けられており、
一対のバンド部の一方の末端部には、組機構或いは蝶番機構により一端が連結された開閉部材が取り付けられており、
一対のバンド部の他方には、前記開閉部材の他端が掛止する掛止機構が設けられていることを特徴とする配管支持具。
【請求項２】
前記弾性部材が板バネ又はコイルバネであることを特徴とする請求項１に記載の配管支持具。
【請求項３】
吊りボルト下部に取り付けられるタンバックルと、該タンバックルにボルト・ナットにより取り付けられる支持片部の下方で配管抱持部を形成する一対のバンド部とを有する配管支持具において、
一対のバンド部の前記支持片部は、ボルト・ナットにより前記タンバックルに対し移動できるように取り付けられており、
一対のバンド部の一方の末端部には、組機構或いは蝶番機構により一端が連結された開閉部材が取り付けられており、
一対のバンド部の他方には、前記開閉部材の他端が掛止する掛止機構が設けられていることを特徴とする配管支持具。
【請求項４】
前記掛止機構の掛止位置が配管抱持部の側方であることを特徴とする請求項１〜３の何れかに記載の配管支持具。
【請求項５】
前記掛止機構が、開閉部材に切欠き形成又は打ち抜き形成された被掛止部と、該被掛止部に引っ掛かる突起状の掛止部とを有してなる構成であることを特徴とする請求項１〜４の何れかに記載の配管支持具。
【請求項６】
前記掛止部が、膨大、屈曲、打ち抜きのいずれかの方法により突起状に形成された構成であることを特徴とする請求項１〜５の何れかに記載の配管支持具。
【発明の詳細な説明】
【０００１】
【発明の属する技術分野】
本発明は配管支持具に関し、詳しくは水道管、ガス管、空調用冷熱媒管、電気・通信ケーブル用管などの配管を天井等に吊り下げ支持するのに利用される配管用吊りバンド形式の配管支持具に関するものである。
【０００２】
【従来の技術】
配管用吊りバンドは、吊りボルトの上端を天井スラブに埋め込んだインサートの雌ネジに固定し、この吊りボルトの下部にナットを介して支持部材であるターンバックルを高さ調節自在に取り付け、更にこのターンバックルの脚部にヒンジ機構（組機構或いは蝶番機構）で連結されている一対の配管抱持バンドのそれぞれの端部である支持片部をボルト及びナットで締め付けることにより配管を固定する構成である（特許文献１参照）。
【０００３】
これまでに、この構成を変形した様々なタイプのものが提案ないし実施されており、この様々な提案の内、タンバックルにバンド支持片を取り付けるためのナットを取り外すことなく螺合したままの状態で配管抱持取付を可能とする技術が多く提案されている。
【０００４】
例えば、一対のバンド部の下端部の組機構が着脱可能となっており、タンバックルへの取付手段であるボルト・ナットを緩めることにより、前記組機構を開放して配管を挿通し、配管挿通後、組機構を係止し、更にボルト・ナットを締めることにより配管を抱持支持する構成が知られている（特許文献２参照）。
【０００５】
また、タンバックルへの取付部である一対のバンド部の一方の支持片のボルト孔を部分的にナットが通過できる大きさの水滴状に形成し、ボルトにナットを緩く螺合した状態で一方のバンド部を開放し、配管を挿通し抱持した後、バンド部を閉塞する際に前記支持片の水滴状のボルト孔からナットを通過させてタンバックルに取り付け、その後、ボルト・ナットを締めることにより配管を抱持支持する構成が知られている（特許文献３参照）。
【０００６】
他の従来技術とは基本的構成が異なり、即ち、タンバックルに取り付ける型式ではない共に配管に部分的に接触した状態で抱持する型式であって、バンド片本体の一部が開放可能であり、開放片の上端がバンド片本体の上部に引掛掛止することで１本ないし複数本の配管を抱持支持する構成が知られている（特許文献４〜７参照）。
【０００７】
【特許文献１】
特開２００２−２５７１０６号公報（図８）
【特許文献２】
特開２００２−３９４４２号公報
【特許文献３】
登録実用新案第３０５１４６２号公報
【特許文献４】
実公平２−３１６５９号公報
【特許文献５】
登録実用新案第３００１９１４号公報
【特許文献６】
特開平１０−１６９８４８号公報
【特許文献７】
特許第３２８８３９１号公報
【０００８】
【発明が解決しようとする課題】
特許文献２に記載の技術では、ボルト・ナットの弛緩・緊締操作だけでなく、片手操作では困難な組機構の係止という操作が加わるため、取付時の操作性に未だ改善の余地がある。特に、組機構の着脱を可能とするためには、ボルト・ナットを大きく緩めなければ着脱に可能な係止可動範囲を確保することができず、ボルト・ナットの弛緩・緊締作業が煩雑である。
【０００９】
特許文献３に記載の技術では、前述の特許文献２記載の技術よりは抱持部の開放と閉鎖操作は容易ではあるが、ナットを水滴状のボルト孔を通過させるためには、ボルト・ナットを大きく緩めなければ着脱に可能な係止可動範囲を確保することができず、ボルト・ナットの弛緩・緊締作業が煩雑である点は前記特許文献２と同様である。
【００１０】
特許文献４〜７に記載の技術では、バンド片本体が一体構成であるため、開放片の開放・閉塞のためにはバンド本体及び／又は開放片に可撓性を持たせる必要があることと、配管とバンド片との間に部分的に間隙を有しているため、他の従来技術の型式のものに比して抱持安定性に劣るものである。
【００１１】
そこで本発明の課題は、ボルト・ナットの弛緩・緊締作業が極く僅かであるか又は全く不要である配管抱持取付時の操作性を高めた吊りバンド形式の配管支持具を提供することにある。
【００１２】
【課題を解決するための手段】
本発明の上記課題は、下記構成によって達成される。
【００１３】
１．吊りボルト下部に取り付けられるタンバックルと、該タンバックルにボルト・ナットにより取り付けられる支持片部の下方で配管抱持部を形成する一対のバンド部とを有する配管支持具において、
一対のバント部は、該一対のバンド部の前記支持片部の少なくとも一方に弾性部材を配設することによりタンバックルに対し押圧状態に取り付けられており、
一対のバンド部の一方の末端部には、組機構或いは蝶番機構により一端が連結された開閉部材が取り付けられており、
一対のバンド部の他方には、前記開閉部材の他端が掛止する掛止機構が設けられていることを特徴とする配管支持具。
【００１４】
２．前記弾性部材が板バネ又はコイルバネであることを特徴とする上記１に記載の配管支持具。
【００１５】
３．吊りボルト下部に取り付けられるタンバックルと、該タンバックルにボルト・ナットにより取り付けられる支持片部の下方で配管抱持部を形成する一対のバンド部とを有する配管支持具において、
一対のバンド部の前記支持片部は、ボルト・ナットにより前記タンバックルに対し移動できるように取り付けられており、
一対のバンド部の一方の末端部には、組機構或いは蝶番機構により一端が連結された開閉部材が取り付けられており、
一対のバンド部の他方には、前記開閉部材の他端が掛止する掛止機構が設けられていることを特徴とする配管支持具。
【００１６】
４．前記掛止機構の掛止位置が配管抱持部の側方であることを特徴とする上記１〜３の何れかに記載の配管支持具。
【００１７】
５．前記掛止機構が、開閉部材に切欠き形成又は打ち抜き形成された被掛止部と、該被掛止部に引っ掛かる突起状の掛止部とを有してなる構成であることを特徴とする上記１〜４の何れかに記載の配管支持具。
【００１８】
６．前記掛止部が、膨大、屈曲、打ち抜きのいずれかの方法により突起状に形成された構成であることを特徴とする上記１〜５の何れかに記載の配管支持具。
【００１９】
【発明の実施の形態】
以下、本発明の具体的構成について説明する。
図１は本発明に係る配管支持具の一実施例を示す斜視図、図２は図１の側面図、図３は配管挿通途中を示す側面図、図４は配管挿通直後を示す側面図、図５は配管抱持取付済み状態を示す側面図、図６は図５の斜視図、図７は本発明に係る配管支持具の他の実施例を示す側面図である。尚、図１及び図６では、配管Ｐの図示を省略する。
【００２０】
図１〜図６に示す本発明の配管支持具１は、吊りボルトＢ下部にナットＮを介して取り付けられるタンバックルＴと、該タンバックルＴの脚部にボルトＢ１・ナットＮ１により取り付けられる支持片部１３・１４の下方で配管抱持部を形成する一対のバンド部１１・１２とを有する。
【００２１】
一対のバント部１１・１２は、該一対のバンド部１１・１２の支持片部１３・１４の少なくとも一方（本実施例では支持片部１３側）に弾性部材２を配設することによりタンバックルＴの脚部に対し押圧状態に取り付けられている。この弾性部材２の押圧によってボルトＢ１とナットＮ１とが完全に緊締されていない状態であってもタンバックルＴ脚部との取付部のがたつきを抑制することができる。従って、ボルトＢ１・ナットＮ１の弛緩・緊締が極僅かないしは不要となるので、配管抱持取付時の操作性が高い。
【００２２】
弾性部材２は、本実施例ではコイルバネを用いており、ボルトＢ１に予め挿通することで支持片部１３部分に配設している。
【００２３】
一対のバンド部１１・１２の一方（本実施例ではバンド部１１側）の末端部には、組機構或いは蝶番機構（本実施例では蝶番機構）１５により一端が連結された開閉部材１６が取り付けられている。
【００２４】
また、一対のバンド部１１・１２の他方（本実施例ではバンド部１２側）には、前記開閉部材１６の他端が掛止する掛止機構１７が設けられている。
【００２５】
掛止機構１７は、他方のバンド部１２に形成された突起状の掛止部１２Ａと、開閉部材１６に形成された透孔状の被掛止部１６Ａとから構成されるものである。掛止機構１７の配設位置としては、抱持する配管の荷重がかかった際にも安定な掛止状態を維持するためには、配管抱持部の側方より上方が好ましく、掛止操作の点についても考慮すると側方がより好ましい。
【００２６】
開閉部材１６を開放した際の配管抱持部の開放量としては、配管Ｐが挿通できる範囲が開放されていればよい。配管Ｐが挿通できる範囲とは、
開閉部材１６の弦長≧配管Ｐの直径
である必要はなく、バンド部１１及び／又はバンド部１２が支持片部１３及び／又は支持片部１４位置において前記弾性部材２の押圧による緩みにより図３の矢符Ｘに示すように拡開可能であるので、拡開した範囲を含めて配管Ｐが挿通できる範囲であればよい。
【００２７】
掛止部１２Ａは図示の如く他方のバンド部１２の一部をロール形状に屈曲することで形成している。尚、本発明は被掛止部１６Ａに引掛け掛止可能な形状及び構成であれば図示のロール形状の屈曲形成に限らず、鉤状に屈曲形成させてもよいし、或いは他方のバンド部１２の一部を打ち抜き形成してもよいし、一部を膨大させてもよいし、更には別部材を付加してもよいし、その他の形状・構成を採るようにしてもよい。
【００２８】
被掛止部１６Ａは、掛止部１２Ａが確実に引掛かり掛止して開閉部材１６を確実に閉塞できる構成であればよく、開閉部材１６の当該部分を切欠く又は打ち抜くことで形成される。
【００２９】
以上の構成を有する本発明に係る配管支持具１は、図２から図３に示すように開閉部材１６が開放してある部分より配管Ｐを配管抱持部内に挿通する。
【００３０】
配管Ｐが開放部分を通過する際、該開放部分が配管Ｐの直径より狭い場合であってもバンド部１１・１２が支持片部１３・１４部分を支点として弾性部材２の押圧力に抗して拡開（図３上においては矢符Ｘ方向に移動）することにより配管Ｐ通過可能な開放範囲となる。尚、挿通時の作業者の力の配分方向によっては、バンド部１１・１２の一方のみがＸ方向に拡開する場合もあるし、バンド部１１とバンド部１２の両方が不均等に拡開する場合もある。
【００３１】
図４に示すように、配管Ｐが配管抱持部に抱持された後、開閉部材１６を矢符Ｙ方向に回動操作する。
【００３２】
開閉部材１６は、該開閉部材１６に形成されている被掛止部１６Ａを、他方のバンド部１２の端部に形成されている掛止部１２Ａに引掛け掛止することで開放部を閉塞することができる。この閉塞によって配管Ｐは配管支持具１の配管抱持部に抱持支持される。
【００３３】
掛止部１２Ａと被掛止部１６Ａとの掛止の際に、被掛止部１６Ａは掛止部１２Ａの外表面に接触して乗り越えるようにした後、掛止部１２Ａに引っ掛かることで掛止が行われる。掛止部１２Ａの外表面を乗り越える際、バンド部１１及び／又はバンド部１２が支持片部１３及び／又は支持片部１４位置において前記弾性部材２の押圧による緩みを有しているので、配管Ｐを内側に抱持した状態であっても掛止部１２Ａと被掛止部１６Ａとの掛止動作は硬調にならず、片手でワンタッチ操作が可能である。尚、図１に示すように被掛止部１６Ａの手前部分に案内溝１６Ｂを形成しておくことで、掛止部１２Ａの外表面が接触した際の案内となり掛止がより確実になる。
【００３４】
以上の操作によって、配管Ｐは配管抱持バンドに抱持した状態で、ターンバックル等の支持部材の脚部に吊り下げ支持された状態となる。
【００３５】
本発明に係る配管支持具１によれば、掛止機構１７による固定の際にスパナ・レンチ・ペンチ等の工具もボルト・ナットから成る固定具も用いることなく片手でワンタッチで取付操作ができるので、作業が著しく容易である。
【００３６】
以上、図１〜図６に基き本発明に係る配管支持具の一実施例について説明したが、本発明は上記構成に限定されず、例えば、下記に示すような種々の態様を採ることができる。
【００３７】
蝶番機構１５（或いは組機構）は配管抱持部の真下に限定されず、図７に示すように配管抱持部の側方と真下の中間部分であってもよい。更に配管抱持部の側方であってもよい。これらの場合、バンド部１１・１２を拡開することなく配管抱持部に配管Ｐを挿通することができる。
【００３８】
弾性部材２を配設することなく、ボルトＢ１・ナットＮ１を僅かに緩めておき、この状態で開閉部材１６の開放・閉塞を行って配管の抱持取付支持を行うこともできる。この場合、配管を抱持し、開閉部材１６を閉塞した後、ボルトＢ１・ナットＮ１を緊締する。
【００３９】
また、弾性部材２はコイルバネに限らず板バネであってもよい。さらに、弾性部材２はボルトＢ１側ではなく、ナットＮ１側に配設していてもよい。
【００４０】
一方の側板部１１と開閉部材１６との連結は蝶番式に限らず、組式の組機構であってもよい。
【００４１】
【発明の効果】
本発明によれば、ボルト・ナットの弛緩・緊締作業が極く僅かであるか又は全く不要である配管抱持取付時の操作性を高めた吊りバンド形式の配管支持具を提供することができる。
特に、請求項１に示す、一対のバント部は、該一対のバンド部の支持片部の少なくとも一方に弾性部材を配設することによりタンバックルに対し押圧状態に取り付けた構成によれば、かかる弾性部材の押圧によってボルトとナットとが完全に緊締されていない状態であってもタンバックル脚部との取付部のがたつきを抑制することができるため、ボルト・ナットの弛緩・緊締が極く僅かであるか又は全く不要となり、配管抱持取付時の操作性が高い。
【図面の簡単な説明】
【図１】本発明に係る配管支持具の一実施例を示す斜視図
【図２】図１の側面図
【図３】配管挿通途中を示す側面図
【図４】配管挿通直後を示す側面図
【図５】配管抱持取付済み状態を示す側面図
【図６】図５の斜視図
【図７】本発明に係る配管支持具の他の実施例を示す側面図
【符号の説明】
１  配管支持具
１１  一方のバンド部
１２  他方のバンド部
１２Ａ  掛止部
１３  支持片部
１４  支持片部
１５  蝶番機構
１６  開閉部材
１６Ａ  被係止部
１６Ｂ  案内溝
１７  掛止機構
２  弾性部材
Ｂ  吊りボルト
Ｂ１  ボルト
Ｎ  ナット
Ｎ１  ナット
Ｐ  配管
Ｔ  タンバックル
【図１】
2004245306.tif 000003
【図２】
2004245306.tif 000004
【図３】
2004245306.tif 000005
【図４】
2004245306.tif 000006
【図５】
2004245306.tif 000007
【図６】
2004245306.tif 000008
【図７】
2004245306.tif 000009